(57)【要約】【課題】ユーザアクションに応答して画面の輝度を調整することにより、ユーザにとって見易い画面を提供することが可能な情報処理装置を提供すること。【解決手段】  情報処理装置は、表示手段と、周囲の明るさを検出するための明るさ検出手段と、物体の近接を検出するための近接検出手段と、前記明るさ検出手段で検出された周囲の明るさに応じて、前記表示手段の画面の輝度を制御する制御手段と、を備え、前記制御手段は、前記明るさ検出手段で検出される周囲の明るさが所定値以下となった場合に、所定期間内に前記近接検出手段で物体の近接を検出した場合、又は、前記近接検出手段で物体の近接を検出している状態の場合には、前記表示手段の画面の輝度を低下させないように制御する。【選択図】  図１
2017079001.tif 000002
【特許請求の範囲】
【請求項１】
表示手段と、
周囲の明るさを検出するための明るさ検出手段と、
物体の近接を検出するための近接検出手段と、
前記明るさ検出手段で検出された周囲の明るさに応じて、前記表示手段の画面の輝度を制御する制御手段と、
を備え、
前記制御手段は、前記明るさ検出手段で検出される周囲の明るさが所定値以下となった場合に、所定期間内に前記近接検出手段で物体の近接を検出した場合、又は、前記近接検出手段で物体の近接を検出している状態の場合には、前記表示手段の画面の輝度を低下させないように制御することを特徴とする情報処理装置。
【請求項２】
前記制御手段は、
前記明るさ検出手段で検出された周囲の明るさが前記所定値以下となった場合には、前記表示手段の画面の輝度を低下させ、
前記所定期間内に前記近接検出手段で物体の近接を検出した場合には、前記表示手段の画面の輝度を上げるように制御することを特徴とする請求項１に記載の情報処理装置。
【請求項３】
前記制御手段は、
前記表示手段の画面が第１の輝度になるように制御している際に、前記明るさ検出手段で検出された周囲の明るさが前記所定値以下となった場合には、前記表示手段の画面が前記第１の輝度より小さい第２の輝度になるように制御し、
前記所定期間内に前記近接検出手段で物体の近接を検出した場合には、前記表示手段の画面が前記第１の輝度になるように制御することを特徴とする請求項２に記載の情報処理装置。
【請求項４】
前記制御手段は、前記明るさ検出手段で検出された周囲の明るさが前記所定値以下となった場合に、前記近接検出手段で物体の近接を検出している状態の場合には、前記表示手段の画面の現在の輝度を維持するように制御することを特徴とする請求項１に記載の情報処理装置。
【請求項５】
前記物体は、人の顔であり、
前記近接検出手段は、カメラを含む顔認識システムであることを特徴とする請求項１〜請求項４のいずれか１つに記載の情報処理装置。
【請求項６】
周囲の明るさを検出する明るさ検出工程と、
物体の近接を検出する近接検出工程と、
前記明るさ検出工程で検出された周囲の明るさに応じて、表示装置の画面の輝度を制御する制御工程と、
を含み、
前記制御工程では、前記明るさ検出工程で検出される周囲の明るさが所定値以下となった場合に、所定期間内に前記近接検出工程で物体の近接を検出した場合、又は、前記近接検出工程で物体の近接を検出している状態の場合には、前記表示装置の画面の輝度を低下させないように制御することを特徴とする表示装置の輝度制御方法。
【請求項７】
周囲の明るさを検出する明るさ検出工程と、
物体の近接を検出する近接検出工程と、
前記明るさ検出工程で検出された周囲の明るさに応じて、表示装置の画面の輝度を制御する制御工程と、
をコンピュータに実行させ、
前記制御工程では、前記明るさ検出工程で検出される周囲の明るさが所定値以下となった場合に、所定期間内に前記近接検出工程で物体の近接を検出した場合、又は、前記近接検出工程で物体の近接を検出している状態の場合には、前記表示装置の画面の輝度を低下させないように制御することを特徴とするコンピュータが実行可能なプログラム。
【発明の詳細な説明】
【技術分野】
【０００１】
本発明は、情報処理装置、表示装置の輝度制御方法、及びコンピュータが実行可能なプログラムに関する。
【背景技術】
【０００２】
例えば、ノートＰＣ、タブレット、スマートフォン、及び携帯電話端末等の情報処理装置では、バッテリの省電力化やユーザビリティ（画面の見やすさ）のため、照度センサ（ＡＬＳ）で周囲の明るさを検出し、検出した周囲の明るさに応じて、ディスプレイの画面の輝度を調整する機能を備えたものもある。かかる輝度の調整では、周囲が明るい場合は画面の輝度を高くする一方、周囲が暗い場合は画面の輝度を低くするのが一般的である。
【先行技術文献】
【特許文献】
【０００３】
【特許文献１】特開２０１２−２４８７９４号
【発明の概要】
【発明が解決しようとする課題】
【０００４】
しかしながら、周囲が明るい状態から暗くなった場合に画面の輝度を下げるだけでは、必ずしもユーザにとって画面が見やすくなるとはいえない。例えば、ユーザの目が明るい画面に慣れた状態から暗い画面になるとかえって画面が見にくくなる場合もある。また、
ユーザが画面に顔を近づけて見ている場合に、画面の明るさが変わると煩わしく感じる場合もある。
【０００５】
他方、例えば、画面が暗くなった場合にユーザが画面を見にくいと感じた場合、画面に顔を近づけるというアクションを起こすことがよくある。そのため、このようなユーザアクションに応答して画面の輝度を調整することにより、ユーザにとって見易い画面を提供することが望まれる。
【０００６】
本発明は、上記に鑑みてなされたものであり、ユーザアクションに応答して画面の輝度を調整することにより、ユーザにとって見易い画面を提供することが可能な情報処理装置、表示装置の輝度制御方法、及びコンピュータが実行可能なプログラムを提供することを目的とする。
【課題を解決するための手段】
【０００７】
上述した課題を解決し、目的を達成するために、本発明は、表示手段と、周囲の明るさを検出するための明るさ検出手段と、物体の近接を検出するための近接検出手段と、前記明るさ検出手段で検出された周囲の明るさに応じて、前記表示手段の画面の輝度を制御する制御手段と、を備え、前記制御手段は、前記明るさ検出手段で検出される周囲の明るさが所定値以下となった場合に、所定期間内に前記近接検出手段で物体の近接を検出した場合、又は、前記近接検出手段で物体の近接を検出している状態の場合には、前記表示手段の画面の輝度を低下させないように制御することを特徴とする。
【０００８】
また、本発明の好ましい態様によれば、前記制御手段は、前記明るさ検出手段で検出された周囲の明るさが前記所定値以下となった場合には、前記表示手段の画面の輝度を低下させ、前記所定期間内に前記近接検出手段で物体の近接を検出した場合には、前記表示手段の画面の輝度を上げるように制御することが望ましい。
【０００９】
また、本発明の好ましい態様によれば、前記制御手段は、前記表示手段の画面が第１の輝度になるように制御している際に、前記明るさ検出手段で検出された周囲の明るさが前記所定値以下となった場合には、前記表示手段の画面が前記第１の輝度より小さい第２の輝度になるように制御し、前記所定期間内に前記近接検出手段で物体の近接を検出した場合には、前記表示手段の画面が前記第１の輝度になるように制御することが望ましい。
【００１０】
また、本発明の好ましい態様によれば、前記制御手段は、前記明るさ検出手段で検出された周囲の明るさが前記所定値以下となった場合に、前記近接検出手段で物体の近接を検出している状態の場合には、前記表示手段の画面の現在の輝度を維持するように制御することが望ましい。
【００１１】
また、本発明の好ましい態様によれば、前記物体は、人の顔であり、前記近接検出手段は、カメラを含む顔認識システムであることが望ましい。
【００１２】
また、上述した課題を解決し、目的を達成するために、本発明は、周囲の明るさを検出する明るさ検出工程と、物体の近接を検出する近接検出工程と、前記明るさ検出工程で検出された周囲の明るさに応じて、表示装置の画面の輝度を制御する制御工程と、を含み、
前記制御工程では、前記明るさ検出工程で検出される周囲の明るさが所定値以下となった場合に、所定期間内に前記近接検出工程で物体の近接を検出した場合、又は、前記近接検出工程で物体の近接を検出している状態の場合には、前記表示装置の画面の輝度を低下させないように制御することを特徴とする。
【００１３】
また、上述した課題を解決し、目的を達成するために、本発明は、周囲の明るさを検出する明るさ検出工程と、物体の近接を検出する近接検出工程と、前記明るさ検出工程で検出された周囲の明るさに応じて、表示装置の画面の輝度を制御する制御工程と、をコンピュータに実行させ、前記制御工程では、前記明るさ検出工程で検出される周囲の明るさが所定値以下となった場合に、所定期間内に前記近接検出工程で物体の近接を検出した場合、又は、前記近接検出工程で物体の近接を検出している状態の場合には、前記表示装置の画面の輝度を低下させないように制御することを特徴とする。
【発明の効果】
【００１４】
本発明によれば、ユーザアクションに応答して画面の輝度を調整することにより、ユーザにとって見易い画面を提供することが可能な情報処理装置を提供することが可能になるという効果を奏する。
【図面の簡単な説明】
【００１５】
【図１】図１は、本実施の形態に係る情報処理装置の概念図を示す図である。
【図２】図２は、本実施の形態に係る情報処理装置の動作例を説明するための説明図である。
【図３】図３は、本実施の形態に係る情報処理装置の動作例を説明するための説明図である。
【図４】図４は、本実施例に係る携帯型端末装置の外観を示す斜視図である。
【図５】図５は、本実施例に係る携帯型端末装置のハードウェア構成例を示す図である。
【図６】図６は、明るさ−輝度テーブルの一例を示す図である。
【図７】図７は、現在の環境よりも暗い環境となる場合における、制御部によるＬＣＤのバックライトの輝度の制御の一例を説明するためのフローチャートである。
【発明を実施するための形態】
【００１６】
（実施の形態）
以下、本実施の形態に係る情報処理装置、表示装置の輝度制御方法、及びコンピュータが実行可能なプログラムについて説明する。本発明の構成要素は、本明細書の図面に一般に示してあるが、様々な構成で広く多様に配置し設計してもよいことは容易に理解できる。したがって、本発明の装置、方法、及びプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システム及び方法についての選択した実施の形態を単に示すものである。当業者は、特定の細目の１つ以上が無くても、又は他の方法、部品、材料でも本発明を実現できることが理解できる。
【００１７】
図１〜図３を参照して、本実施の形態に係る情報処理装置を説明する。図１は、本実施の形態に係る情報処理装置の概念図を示す図である。本実施の形態に係る情報処理装置は、例えば、スマートフォン端末、携帯電話端末、タブレット端末、ノートＰＣ、ゲーム機等の各種情報処理装置である。
【００１８】
本実施の形態では、人は画面がよく見えない場合は、画面に顔を近づけて見るという習性に着目して、画面に顔が近づいた場合には、ユーザが画面を見にくい状態であると推定して、周囲が暗くなっても、ユーザが画面を見易くなるように画面の輝度を下げないことにしている。
【００１９】
図１に示すように、情報処理装置１は、表示手段１１と、周囲の明るさを検出するための明るさ検出手段１２と、物体の近接を検出するための近接検出手段１３と、明るさ検出手段１２による周囲の明るさの検出結果に応じて、表示手段１１の画面の輝度を制御する制御手段１４と、を備えている。本実施の形態では、近接検出手段１３が物体の近接を検出した場合に、人の顔が近接していると判断している。
【００２０】
表示手段１１は、例えば、ＬＣＤ（Liquid  Crystal  Display）や有機ＥＬ（Organic  Electro−Luminescence）ディスプレイで構成することができる。明るさ検出手段１２は、例えば、ＡＬＳ（Ambient  Light  Sensor）で構成することができる。近接検出手段１３は、例えば、近接センサ（Proximity  Sensor）で構成することができ、物体との距離が所定距離以下となった場合に、物体が近接したことを検出することにしてもよい。
【００２１】
制御手段１４は、周囲の明るさと画面の輝度とを関連づけたテーブル２０を備えていてもよい。テーブル２０は、周囲の明るさが明るい場合には画面の輝度が高くなり、周囲の明るさが暗い場合には、画面の輝度が低くなるような特性（プロファイル）としてもよい。制御手段１４は、テーブル２０を参照して、明るさ検出手段１２で検出された周囲の明るさに対応する画面の輝度になるように、表示手段１１の画面の輝度を制御してもよい。
【００２２】
また、制御手段１４は、明るさ検出手段１２で検出される周囲の明るさが所定値以下となった場合（周囲が暗くなった場合）に、所定期間内に近接検出手段１３で物体の近接を検出した場合、又は、近接検出手段１３で物体の近接を検出している状態の場合には、表示手段１１の画面の輝度を低下させないように制御することにしてもよい。
【００２３】
明るさ検出手段１２、近接検出手段１３、及び制御手段１４は、ソフトウアェア及び／又はハードウェアで構成することができる。コンピュータがプログラムを実行することにより、明るさ検出手段１２、近接検出手段１３、及び制御手段１４の機能を実現することにしてもよい。
【００２４】
また、制御手段１４は、明るさ検出手段１２で検出された周囲の明るさが所定値以下となった場合には、表示手段１１の画面の輝度を低下させ、所定期間内に近接検出手段１３で物体の近接を検出した場合には、表示手段１１の画面の輝度を上げるように制御することにしてもよい。なお、制御手段１４は、表示手段１１の画面の輝度を上げた後は、物体が離れた場合（近接検出手段１３で物体の近接を検出していない状態）でも、一定期間、表示手段１１の画面の輝度を上げた状態を維持してもよい。また、制御手段１４は、表示手段１１の画面の輝度を上げた後は、物体が離れた場合は、表示手段１１の画面の輝度を下げることにしてもよい。すなわち、物体が近づいている場合だけ画面の輝度を上げることにしてもよい。また、制御手段１４は、一定の時間、情報処理装置１に対してユーザ操作が行われない場合は、表示手段１１の画面をスリープ状態（画面ＯＦＦ）としてもよい。
【００２５】
また、制御手段１４は、表示手段１１の画面が第１の輝度になるように制御している際に、明るさ検出手段１２で検出された周囲の明るさが所定値以下となった場合には、表示手段１１の画面が第１の輝度より小さい第２の輝度になるように制御し、所定期間内に近接検出手段１３で物体の近接を検出した場合には、表示手段１１の画面が第１の輝度になるように制御することにしてもよい。
【００２６】
また、制御手段１４は、明るさ検出手段１２で検出された周囲の明るさが所定値以下となった場合に、近接検出手段１３で物体の近接を検出している状態の場合には、表示手段１１の画面の現在の輝度を維持するように制御してもよい。
【００２７】
図２及び図３は、本実施の形態の情報処理装置１の動作例を説明するための説明図である。図２は、周囲が暗くなってユーザが画面に顔を近づけた場合の例を説明するための図である。図２において、６Ａは、周囲が明るい環境で、表示手段１１の画面からユーザの顔が離れている状態を示している。表示手段１１の画面は、周囲が明るい環境であるので、表示手段１１の画面は明るい状態となっている。すなわち、制御手段１４は、明るさ検出手段１２で検出される周囲の明るさが所定値より大きいので、表示手段１１の画面の輝度を高く設定している。
【００２８】
６Ｂに示すように、周囲が暗くなると、表示手段１１の画面は暗くなる。すなわち、制御手段１４は、明るさ検出手段１２で検出された周囲の明るさが所定値以下となった場合は、表示手段１１の画面の輝度を低下させる。
【００２９】
６Ｃに示すように、ユーザは画面が暗くてよく見えないと感じて、表示手段１１の画面に顔を近づけると、表示手段１１の画面は明るい状態に戻る。すなわち、制御手段１４は、所定期間内に近接検出手段１３で物体の近接を検出した場合には、表示手段１１の画面の輝度を上げる。
【００３０】
このように、周囲が暗くなって画面が暗くなった場合において、ユーザが画面を見にくいと感じて画面に顔を近づけると、自動的に画面が明るくなるので、ユーザにとって必要な時だけ画面が明るくなり、ユーザの画面に顔を近づけるというユーザアクションに応答して、ユーザにとって見易い画面とすることができる。
【００３１】
図３は、ユーザが顔を近づけて画面を見ている場合に周囲が暗くなった場合の例を説明するための図である。図３において、７Ａは、周囲が明るい環境で、ユーザが顔を近づけて表示手段１１の画面を見ている状態を示している。すなわち、制御手段１４は、明るさ検出手段１２で検出される周囲の明るさが所定値より大きいので、表示手段１１の画面の輝度を高く設定している。また、近接検出手段１３は、物体の近接を検出している状態である。
【００３２】
７Ｂに示すように、周囲が暗くなっても、表示手段１１の画面を暗くしないで、画面が明るい状態が維持される。すなわち、制御手段１４は、明るさ検出手段１２で検出された周囲の明るさが所定値以下となった場合でも、近接検出手段１３で物体の近接を検出している状態の場合には、表示手段１１の画面の現在の輝度を維持する。
【００３３】
このように、ユーザが顔を近づけて画面を見ている状態で周囲が暗くなった場合には、
画面の明るさを変えるとユーザにとって煩わしいので、画面の明るさを変えていない。ユーザの画面に顔を近づけて見ているというユーザアクションに応答して、ユーザにとって見易い画面とすることができる。
【００３４】
本実施の形態では、近接検出手段１３が物体の近接を検出した場合に、人の顔が近接していると判断しているが、手等の他の物体の近接が検出されるのを排除するために、近接検出手段１３は、カメラを含む顔認識システムで構成してもよい。例えば、カメラで撮像した画像から所定の大きさ以上の顔を検出した場合に、顔が近接していると判断してもよい。
【００３５】
本実施の形態の情報処理装置１によれば、表示手段１１と、周囲の明るさを検出するための明るさ検出手段１２と、物体の近接を検出するための近接検出手段１３と、明るさ検出手段１２による周囲の明るさの検出結果に応じて、表示手段１１の画面の輝度を制御する制御手段１４と、を備え、制御手段１４は、明るさ検出手段１２で検出される周囲の明るさが所定値以下となった場合（周囲が暗くなった場合）に、所定期間内に近接検出手段１３で物体の近接を検出した場合、又は、近接検出手段１３で物体の近接を検出している状態の場合には、表示手段１１の画面の輝度を低下させないように制御することとしたので、ユーザが画面に顔を近づける、又は、ユーザが顔を近づけて画面を見ているというユーザアクションに応答して画面の輝度を調整することにより、ユーザにとって見易い画面を提供することが可能となる。
【００３６】
（実施例）
図４−図７を参照して、上記実施の形態に係る情報処理装置を、スマートフォン等の携帯型端末装置に適用した場合の一実施例を説明する。図４は、本実施例に係る携帯型端末装置の外観を示す斜視図である。
【００３７】
図４に示すように、携帯型端末装置３０は、略六面体形状の筐体３１を備えている。筐体３１の表面のうち一方側の面を正面３１Ａ、正面３１Ａに対向する他方側の面を背面（不図示）、筐体３１の表面のうち正面３１Ａと背面に挟まれた面を側面３１Ｂとする。携帯型端末装置３０は、筐体３１の正面３１Ａの略中央部分に、タッチセンサ４１Ａ及びＬＣＤ（Liquid  Crystal  Display）４１Ｂで構成されるタッチ表示部４１が配置されている。筐体３１の正面３１Ａの上方には、レシーバ４２、カメラ４３、ＡＬＳ４４、及び近接センサ４５が配置されている。
【００３８】
タッチ表示部４１は、文字、図形、画像等の情報を表示するとともに、指、スタイラス、ペン等（以下、「指示体」と称する）を用いてタッチセンサ４１Ａに対して行われる各種操作を検出する。タッチセンサ４１Ａが各種操作を検出する方式は、静電容量式、感圧式等の方式を採用することができる。
【００３９】
筐体３０の左側の側面３１Ｂには、ボリュームを増加させるための「＋」ボタン４９ａと、ボリュームを減少させるための「−」ボタン４９ｂとを備えたボリュームボタン４４が配置されている。
【００４０】
筐体３０の右側の側面３１Ｂには、電源ボタン４８（図５参照）が配置されている。また、筐体３０の下側の側面３１Ｂには、マイク４６及びスピーカ４７が配置されている。
【００４１】
図５は、本実施例に係る携帯型端末装置のハードウェア構成例を示す図である。携帯型端末装置３０は、図５に示すように、制御部５０と、メモリ５１と、電源部５３と、通信部５４と、タッチ表示部４１（タッチセンサ４１Ａ、ＬＣＤ４１Ｂ）と、操作部７０と、レシーバ４２と、カメラ４３と、ＡＬＳ４４と、近接センサ４５と、マイク４６と、スピーカ４７とを備えている。
【００４２】
タッチ表示部４１は、ＬＣＤ４１Ｂと、ＬＣＤ４１Ｂに重畳されたタッチセンサ４１Ａとを有する。タッチセンサ４１Ａは、指やペン等の指示体を用いてタッチセンサ４１Ａに対して行われた各種操作を、操作が行われた場所のタッチセンサ４１Ａ上での位置とともに検出し、制御部５０に通知する。タッチセンサ４１Ａによって検出される操作には、タッチ操作、スワイプ操作、及びピッチ操作が含まれる。
【００４３】
ＬＣＤ４１Ｂは、液晶表示パネル（不図示）、バックライト４１Ｃ、バックライト４１Ｃを駆動するインバータ（不図示）、液晶表示パネルを駆動するドライバ回路（不図示）等を備えている。液晶表示パネルは、制御部５０の各種の処理に伴うメニュー、ステータス、表示遷移等を表示する機能を有している。制御部５０は、インバータを制御してバックライト４１Ｃの輝度を調整したり、また、ビデオ信号をドライバ回路に送出して、液晶表示パネルの表示を制御する。
【００４４】
操作部７０は、ボリュームボタン４９や電源ボタン４８等の各種ボタンを備えており、ボタンを通じてユーザの操作を受け付け、受け付けた操作に対応する指示信号を制御部５０へ送信する。
【００４５】
電源部５３は、制御部５０の制御に従って、蓄電池又は外部電源から得られる電力を、制御部５０を含む携帯型端末装置３０の各部へ供給する。
【００４６】
通信部５４は、基地局によって割り当てられるチャネルを介し、基地局との間で所定の通信方式による無線信号回線を確立し、基地局との間で電話通信及び情報通信を行う。レシーバ４２は、制御部５０から送信される音声信号を音声として出力する。マイク４６は、利用者等の音声を音声信号へ変換して制御部５０へ出力する。スピーカ４７は、制御部５０から入力される音声信号を外部に出力する。カメラ４３は、被写体を撮像して撮像した画像データを制御部５０に出力する。
【００４７】
ＡＬＳ４４は、周囲の明るさ（Ｌｕｘ）を測定して、その測定結果を制御部５０に出力する。近接センサ４５は、物体の近接（例えば、物体との距離が１５ｃｍ以下となった場合）を検出して、その検出結果（例えば、物体が近接している場合「１」、物体が近接していない場合「０」）を制御部５０に出力する。
【００４８】
メモリ５１は、例えば、ＲＡＭやＤＲＡＭ等で構成されており、制御部５０によって実行されるプログラム、制御部５０が参照するデータ、制御部５０の演算結果等が一時的に記憶されるワークエリアとして使用される。  
【００４９】
ストレージ５２は、制御部５０によって実行されるプログラムやデータを保持するコンピュータで読み取り可能な記憶媒体であって、ＥＥＰＲＯＭやＳＳＤ等の不揮発性メモリである。ストレージ５２は、例えば、携帯型端末装置３０全体の制御を行うためのＯＳ、周辺機器類をハードウェア操作するための各種デバイスドライバ、各種アプリ、制御部５０がＬＣＤ４１Ｂのバックライト４１Ｃの輝度を制御する際に使用する明るさ−輝度テーブル５０Ａ等を記憶する機能を有する。
【００５０】
制御部５０は、例えば、ＣＰＵ（Central  Processing  Unit）、マイクロプロセッサ、ＤＳＰ等であり、携帯型端末装置３０の動作を統括的に制御して各種の機能（モード）を実現する。具体的には、制御部５０は、ストレージ５２に記憶されているデータやメモリ５１に展開したデータを必要に応じて参照しつつ、ストレージ５２に記憶されているプログラムに含まれる命令を実行して、タッチ表示部４１、操作部７０等を制御することによって各種機能（モード）を実現する。制御手段５０は、省電力制御を行っており、一定の時間、ユーザ操作が行われない場合には、携帯型端末装置３０をスリープ状態（ＬＣＤ４１ＢのＯＦＦを含む）とする。
【００５１】
また、制御部５０は、ストレージ５２に格納されている、明るさ−輝度テーブル５０Ａを使用して、ＬＣＤ４１Ｂのバックライト４１Ｃの輝度を制御する。
【００５２】
次に、制御部５０によるＬＣＤ４１Ｂのバックライト４１Ｃの輝度制御について詳細に説明する。図６は、明るさ−輝度テーブル５０Ａの一例を示す図である。図６に示すように、明るさ−輝度テーブル５０Ａは、周囲の明るさ（Ｌｕｘ）とＬＣＤ４１Ｂのバックライト４１Ｃの輝度（ＮＩＴ（＝ｃｄ／ｍ２））との関係を規定している。図６に示す例では、周囲の明るさの環境を３つに規定し、例えば、０（Ｌｕｘ）≦周囲の明るさ（Ｌｕｘ）≦４００（Ｌｕｘ）をＤａｒｋ環境、４００（Ｌｕｘ）＜周囲の明るさ（Ｌｕｘ）≦１０００（Ｌｕｘ）をＴｙｐｉｃａｌ  Ｏｆｆｉｃｅ環境、１０００（Ｌｕｘ）＜周囲の明るさ（Ｌｕｘ）をＢｒｉｇｈｔ環境と規定している。ＬＣＤ４１Ｂのバックライト４１Ｃの輝度は、Ｄａｒｋ環境の場合は「１５０（ＮＩＴ）」、Ｔｙｐｉｃａｌ  Ｏｆｆｉｃｅ環境の場合は「２５０（ＮＩＴ）」、「Ｂｒｉｇｈｔ環境」の場合は「３５０（ＮＩＴ）」がそれぞれ対応している。
【００５３】
制御部５０は、明るさ−輝度テーブル５０Ａを参照して、ＡＬＳ４４で検出された周囲の明るさに対応する輝度になるように、インバータを介してＬＣＤ４１Ｂのバックライト４１Ｃを制御する。その際、制御部５０は、現在の環境よりも暗い環境となる場合に、所定期間内に画面に顔が近づいた場合及び画面に既に顔が近づいている状態の場合には、ユーザが画面を見にくくならないように、ＬＣＤ４１Ｂのバックライト４１Ｃの輝度を下げないように制御する。
【００５４】
図７は、現在の環境よりも暗い環境となる場合における、制御部５０によるＬＣＤ４１Ｂのバックライト４１Ｃの輝度の制御の一例を説明するためのフローチャートである。以下のフローチャートでは、Ｔｙｐｉｃａｌ  Ｏｆｆｉｃｅ環境からＤａｒｋ環境に変わる場合を説明する。Ｔｙｐｉｃａｌ  Ｏｆｆｉｃｅ環境でＬＣＤ４１Ｂのバックライト４１Ｃの輝度が「２５０（ＮＩＴ）」に設定されている場合を説明する。
【００５５】
図７において、まず、制御部５０は、ＡＬＳ４４で検出された明るさが所定値（４００Ｌｕｘ）以下になったか否か、すなわち、Ｄａｒｋ環境となったか否かを判断する（ステップＳ１）。ＡＬＳ４４で検出された明るさが所定値以下になった場合には（ステップＳ１の「Ｙｅｓ」）、制御部５０は、近接センサ４５で物体の近接が検出されている状態（例えば、近接センサ４５の検出結果が「１」の場合）であるか否かを判断する（ステップＳ２）。近接センサ４５で物体の近接が検出されている状態である場合には（ステップＳ２の「Ｙｅｓ」）、現在のＬＣＤ４１Ｂのバックライト４１Ｃの輝度（２５０ＮＩＴ）を維持する（ステップＳ３）。すなわち、Ｔｙｐｉｃａｌ  Ｏｆｆｉｃｅ環境からＤａｒｋ環境に変わっても、顔がＬＣＤ４１Ａの画面の近くにある場合は、ＬＣＤ４１Ｂのバックライト４１Ｃの輝度を下げない。
【００５６】
他方、近接センサ４５で物体の近接が検出されている状態でない場合（例えば、近接センサ４５の測定結果が「０」）の場合には（ステップＳ２の「Ｎｏ」）、明るさ−輝度テーブル５０Ａを参照して、ＬＣＤ４１Ｂのバックライト４１Ｃの輝度を１５０ＮＩＴに設定し、輝度を下げる（ステップＳ４）。
【００５７】
次に、制御部５０は、所定期間内に近接センサ４５で物体の近接を検出したか否かを判断する（ステップＳ５）。所定期間内に近接センサ４５で物体の近接を検出した場合には（ステップＳ５の「Ｙｅｓ」）、制御部５０は、ＬＣＤ４１Ｂのバックライト４１Ｃの輝度を２５０ＮＩＴに戻し、輝度を上げる（ステップＳ６）。輝度を上げた場合には、物体（顔）が離れた場合でも、この輝度を維持することにしてもよい。
【００５８】
なお、制御部５０は、Ｂｒｉｇｈｔ環境からＴｙｐｉｃａｌ  Ｏｆｆｉｃｅ環境に変わる場合も図７のフローチャートと同様な処理を行うことにしてもよい。
【００５９】
本実施例によれば、Ｔｙｐｉｃａｌ  Ｏｆｆｉｃｅ環境からＤａｒｋ環境に変わる場合又はＢｒｉｇｈｔ環境からＴｙｐｉｃａｌ  Ｏｆｆｉｃｅ環境に変わる場合に、所定期間内に画面に顔が近づいた場合又は画面に既に顔が近づいている状態の場合には、ユーザが画面を見にくくならないように、ＬＣＤ４１Ｂのバックライト４１Ｃの輝度を下げないように制御しているので、ユーザアクションに応答して画面の輝度を調整することにより、ユーザにとって見易い画面を提供することが可能となる。
【符号の説明】
【００６０】
１  情報処理装置
１１  表示手段
１２  明るさ検出手段
１３  近接検出手段
１４  制御手段
２０  テーブル
３１  筐体
４１  タッチ表示部
４１Ａ  タッチセンサ
４１Ｂ  ＬＣＤ
４１Ｃ  バックライト
４２  レシーバ
４３  カメラ
４４  ＡＬＳ
４５  近接センサ
４６  マイク
４７  スピーカ
４８  電源ボタン
４９  ボリュームボタン
５０  制御部
５１  メモリ
５２  ストレージ
５３  電源部
５４  通信部
【図１】
2017079001.tif 000003
【図２】
2017079001.tif 000004
【図３】
2017079001.tif 000005
【図４】
2017079001.tif 000006
【図５】
2017079001.tif 000007
【図６】
2017079001.tif 000008
【図７】
2017079001.tif 000009